(57)【要約】【課題】防潮板と躯体床面とのあいだを水密するための水密装置を設けるにあたり、水密材の弾性復元力が初期よりも低下したとしても、水密性を確実に確保できるようにする。【解決手段】水密装置１９を、防潮板７の下端部および床面Ｇに設けられる水密材２０、２１と、防潮板７に上下動自在に支持される作動体２３と、作動体２３を下動せしめる操作部２４と、作動体２３の下動に伴い蓄勢されて防潮板７を下方に押圧する押圧バネ２５と、作動体２３を下動位置にロックするためのロック機構２６とを備えて構成し、作動体２３を下動位置にロックしたときの押圧バネ２５の押圧力で防潮板７の下端部を床面Ｇに水密状に押圧する構成にした。【選択図】図４
2015105489.tif 000002
【特許請求の範囲】
【請求項１】
躯体開口部を上下開閉作動する開閉体の下部に防潮板を設けると共に、該防潮板と躯体床面とのあいだを水密するための水密装置を設けるにあたり、該水密装置は、防潮板の下端部または防潮板の下方の床面の少なくとも何れか一方に設けられる水密材と、防潮板に上下動自在に支持される作動体と、該作動体を下動せしめる操作部と、作動体の下動に伴い蓄勢されて防潮板を下方に押圧する押圧バネと、作動体の下端部が床面に形成された嵌入孔に嵌入する下動位置に作動体をロックするロック機構とを備え、作動体を下動位置にロックしたときの押圧バネの押圧力で防潮板の下端部を床面に水密状に押圧する構成にしたことを特徴とする防潮板の水密装置。
【請求項２】
請求項１において、作動体を回転させるべく揺動操作される操作レバーを設けると共に、作動体を下動位置にロックするロック機構は、嵌入孔に設けられる係止受部と、作動体の下端部に設けられ、作動体が下動位置のときに嵌入孔に嵌入する係止片とを用いて構成され、該嵌入孔に嵌入した係止片を、操作レバーの揺動操作で作動体を回転させることに伴い係止受部に係止するロック位置と係止受部に係止しないロック解除位置とに変位させる構成にしたことを特徴とする防潮板の水密装置。
【請求項３】
請求項１または２において、操作部は作動体の上部に設けられると共に、該操作部を押し下げ操作することで作動体を下動させる構成であることを特徴とする防潮板の水密装置。
【請求項４】
請求項１乃至３の何れか一項において、躯体側に固定されるガイド部材と、防潮板の左右両端部の屋内側面に対向する対向面部を有し、該対向面部が防潮板に対して離接自在となるように前記ガイド部材に支持される第二作動体と、該第二作動体の対向面部に設けられる第二水密材と、該第二水密材が防潮板に水密状に押圧される作動位置まで第二作動体を防潮板に近接させるべく操作される第二操作部とを備えた第二水密装置を設け、該第二水密装置により防潮板の左右両端部と躯体とのあいだを水密する構成にしたことを特徴とする防潮板の水密装置。
【請求項５】
請求項４において、第二操作部は、第二作動体を防潮板に対して離接移動させるべく第二作動体に作用する回転自在なカムと、該カムを回転させるべく揺動操作される第二操作レバーとを用いて構成されることを特徴とする防潮板の水密装置。
【発明の詳細な説明】
【技術分野】
【０００１】
本発明は、防潮板と躯体とのあいだを水密するための防潮板の水密装置の技術分野に関するものである。
【背景技術】
【０００２】
一般に、躯体開口部に建付けられる建築用開閉装置のなかには、開閉体が開口部の左右に配設のガイドレールにガイドされて上下動することで開口部を開閉するように構成されたものがあるが、このような建築用開閉装置において、従来、豪雨洪水等の場合に外部の水が屋内に浸入してしまうことを防止するための対策として、開閉体の下部に防潮板を設けた技術が知られている（例えば、特許文献１参照）。このものでは、開閉体を下降させることで防潮板を開口部に設置できることになって、別途防潮板を開口部に設置するための部材や手間を省略することができる。
ところで、前述したように開閉体の下部に防潮板を設けた場合、豪雨洪水等の浸入の惧れがあるときには開閉体を降ろして防潮板で開口部の下部を塞ぐと共に、浸水を確実に防止するために防潮板と躯体とのあいだの水密性を確保することが要求される。そこで、特許文献１のものでは、防潮板に長さ調整可能な押圧具の基端部を螺着する一方、該押圧具の先端部を床面に着脱自在に固定支持する構成とし、押圧具の長さ調整で防潮板をガイドレール内壁面に水密的に押圧することで、防潮板の左右両端部と躯体に固定されるガイドレールとのあいだの水密性を確保するようにしている。また、このものでは、防潮板の下面に水密材を設け、該水密材を防潮板の自重で床面に当接させることで、防潮板と床面とのあいだの水密性を確保している。
一方、開閉体の下部に防潮板を設けるのではなく、豪雨洪水等の予想に際して、開口部の左右に配設された対向溝形立柱の溝内に防潮板を挿入するようにしたもの（例えば、特許文献２参照。）も知られているが、このような防潮板においても防潮板と躯体とのあいだの水密性確保が図られており、特許文献２のものでは、防潮板の底面および左右両端部正面に水密材（弾性止水ゴム）を設けると共に、クレセントの回動操作により上記水密材を床面および立柱の溝内面に圧接させるように構成されている。
【先行技術文献】
【特許文献】
【０００３】
【特許文献１】実公平４−５５１８８号公報
【特許文献２】特許第３４５８０７７号公報
【発明の概要】
【発明が解決しようとする課題】
【０００４】
しかるに、暴雨洪水の場合に、防潮板の下端部と床面とのあいだから屋内に浸入しようとする水は、防潮板を浮せる力として働くため、特許文献１のように防潮板の下面に設けた水密材を防潮板の自重で床面に当接させただけでは、確実に浸入を防ぐことができない惧れがある。
一方、特許文献２のものは、防潮板と立柱とに掛渡したクレセントによって防潮板の浮上りは防止されるが、このものでは、クレセントの回動操作に基づいて防潮板を躯体側（床面および立柱の溝内面）に近接させることで水密材を圧縮して防潮板と躯体との水密を図るようになっていると共に、防潮板を最も躯体側に近接させたときに防潮板と躯体側とのあいだに所定間隔を存するように設定されており、該所定間隔が圧縮された水密材の介装スペースになっている。しかるに、防潮板は、暴雨洪水等の非常時に使用されるものであるため長期間使用されない場合がある一方、弾性ゴム等から形成される水密材は、長期のあいだには少しづつ劣化して弾性復元力が低下してしまう惧れがあるが、水密材の弾性復元力が低下してしまった場合には、防潮板を躯体側に近接させて水密材を圧縮させても、前記初期に設定された所定間隔までの圧縮では水密材としての機能を充分に発揮できない惧れがあり、ここに本発明が解決すべき課題がある。
【課題を解決するための手段】
【０００５】
本発明は、上記の如き実情に鑑みこれらの課題を解決することを目的として創作されたものであって、請求項１の発明は、躯体開口部を上下開閉作動する開閉体の下部に防潮板を設けると共に、該防潮板と躯体床面とのあいだを水密するための水密装置を設けるにあたり、該水密装置は、防潮板の下端部または防潮板の下方の床面の少なくとも何れか一方に設けられる水密材と、防潮板に上下動自在に支持される作動体と、該作動体を下動せしめる操作部と、作動体の下動に伴い蓄勢されて防潮板を下方に押圧する押圧バネと、作動体の下端部が床面に形成された嵌入孔に嵌入する下動位置に作動体をロックするロック機構とを備え、作動体を下動位置にロックしたときの押圧バネの押圧力で防潮板の下端部を床面に水密状に押圧する構成にしたことを特徴とする防潮板の水密装置である。
請求項２の発明は、請求項１において、作動体を回転させるべく揺動操作される操作レバーを設けると共に、作動体を下動位置にロックするロック機構は、嵌入孔に設けられる係止受部と、作動体の下端部に設けられ、作動体が下動位置のときに嵌入孔に嵌入する係止片とを用いて構成され、該嵌入孔に嵌入した係止片を、操作レバーの揺動操作で作動体を回転させることに伴い係止受部に係止するロック位置と係止受部に係止しないロック解除位置とに変位させる構成にしたことを特徴とする防潮板の水密装置である。
請求項３の発明は、請求項１または２において、操作部は作動体の上部に設けられると共に、該操作部を押し下げ操作することで作動体を下動させる構成であることを特徴とする防潮板の水密装置である。
請求項４の発明は、請求項１乃至３の何れか一項において、躯体側に固定されるガイド部材と、防潮板の左右両端部の屋内側面に対向する対向面部を有し、該対向面部が防潮板に対して離接自在となるように前記ガイド部材に支持される第二作動体と、該第二作動体の対向面部に設けられる第二水密材と、該第二水密材が防潮板に水密状に押圧される作動位置まで第二作動体を防潮板に近接させるべく操作される第二操作部とを備えた第二水密装置を設け、該第二水密装置により防潮板の左右両端部と躯体とのあいだを水密する構成にしたことを特徴とする防潮板の水密装置である。
請求項５の発明は、請求項４において、第二操作部は、第二作動体を防潮板に対して離接移動させるべく第二作動体に作用する回転自在なカムと、該カムを回転させるべく揺動操作される第二操作レバーとを用いて構成されることを特徴とする防潮板の水密装置である。
【発明の効果】
【０００６】
請求項１の発明とすることにより、水密材の弾性復元力が初期よりも低下した場合であっても、防潮板と床面とのあいだの水密性を確実に確保することができる。
請求項２の発明とすることにより、作動体を下動位置にロックするためのロック機構を、操作レバーの揺動操作で簡単にロック、ロック解除することができる。
請求項３の発明とすることにより、作動体の下動が押圧バネの蓄勢を伴う操作であっても、押し下げ操作で容易に作動体を下動させることができる。
請求項４の発明とすることにより、第二水密装置によって防潮板の左右両端部と躯体とのあいだを水密できる。
請求項５の発明とすることにより、第二操作レバーの揺動操作で容易に第二作動体を作動位置に移動させることができる。
【図面の簡単な説明】
【０００７】
【図１】防潮機能付きオーバーヘッド式ドアの屋内側からの正面図である。
【図２】防潮機能付きオーバーヘッド式ドアの側面図である。
【図３】（Ａ）、（Ｂ）、（Ｃ）、（Ｄ）は水密装置の作動手順を示す説明図である。
【図４】（Ａ）、（Ｂ）、（Ｃ）、（Ｄ）は水密装置の作動手順を示す説明図である。
【図５】（Ａ）、（Ｂ）は係止片がロック解除位置のときのロック機構を示す平面図、側面図、（Ｃ）、（Ｄ）は係止片がロック位置のときのロック機構を示す平面図、側面図である。
【図６】（Ａ）、（Ｂ）は第二作動体が非作動位置のときの第二水密装置を示す側面図、平面図である。
【図７】（Ａ）、（Ｂ）は第二作動体が作動位置のときの第二水密装置を示す側面図、平面図である。
【発明を実施するための形態】
【０００８】
以下、本発明の実施の形態について、図面に基づいて説明する。
図面において、１は躯体開口部に建付けられる防潮機能付きのオーバーヘッド式ドアであって、該オーバーヘッド式ドア１を構成するドア体（本発明の開閉体に相当する）２は、複数枚のパネル体３を蝶番部材４を介して上下方向に一連状に連結して構成されていると共に、各パネル体３の左右両端部にはガイドローラ５が回転自在に軸支されている。一方、躯体開口部の左右には逆Ｌ字形状のガイドレール６が配設されており、該ガイドレール６に前記ガイドローラ５が移動自在にガイドされることで、ドア体２は、開口部を全閉する全閉姿勢と、屋内側天井部に収納されて開口部を開放する全開姿勢とのあいだを上下動して、開口部の開閉を行なうように構成されている。尚、ドア体２の下部には防潮板７が連結されているが、該防潮板７については後述する。
【０００９】
また、８は屋内側の天井部奥側に配設される開閉機であって、該開閉機８の正逆駆動に基づいて、天井部に沿って配設される走行レール９に内装された移送体（図示せず）が屋内外方向に移動するように構成されている。該移送体は、連結アーム１０を介して最上端のパネル体３（ドア体２が全閉姿勢のときに最上端に位置するパネル体３）に連結されており、そして、前記開閉機８の正逆駆動に伴い移送体が屋内外方向に移動することによって、ドア体２に開閉作動力が付与されるように構成されている。
【００１０】
さらに、１１は開口部上方の躯体に固定されるブラケット１２に回転自在に支持される回転軸であって、該回転軸１１の左右両端部には左右一対のワイヤドラム１３が回転軸１１と一体回動する状態で固定されており、これらワイヤドラム１３に巻装される各ワイヤ１４の遊端は、ドア体２の最下端に位置する防潮板７の左右両端部にそれぞれ連結されている。また、１５はバランス弾機であって、該バランス弾機１５は、その一端が前記ブラケット１２に連結され、他端が前記回転軸１１に連結されると共に、回転軸１１がドア体２を閉鎖する方向に回転することに伴い蓄勢力が付与されるように設定されている。そして、該蓄勢力は、ドア体２の開閉作動の過程で、ワイヤ１４に作用するドア体２の荷重にバランスするように設定されている。
【００１１】
一方、前記防潮板７は、前記複数のパネル体３のうちの最下端のパネル体３に連結パネル１６を介して連結されている。該連結パネル１６は、防潮板７の上部にボルト１７を介して連結される一方、蝶番部材４を介して最下端のパネル体３に連結されているが、該連結パネル１６の左右両端部にはパネル体３と同様に前記ガイドレール６に上下動ガイドされるガイドローラ５が回転自在に支持されている。また、防潮板７の下部の左右両端部には防潮板用ガイドローラ（図示せず）が回転自在に軸支されていると共に、該防潮板用ガイドローラは、前記ガイドレール６に並設する状態で躯体開口部の左右に配設される防潮板用ガイドレール（図示せず）に移動自在にガイドされるように構成されており、而して、防潮板７は、上部側は前記連結パネル１６のガイドローラ５がガイドレール６にガイドされ、また、下部側は防潮板用ガイドローラが防潮板用ガイドレールにガイドされる状態で、パネル体３と共に上下動して開口部を開閉するように構成されている。尚、本実施の形態では、連結パネル１６を含めた防潮板７の上下長さはパネル体３の上下長さと略等しくなるように設定されている。また、ガイドレール６は、ドア体２が全閉状態のときに連結パネル１６に設けられたガイドローラ５の位置よりも下方部分が切欠かれており、該切欠かかれた部分には後述するガイド部材３１が配設されている。そして、該ガイドレール６が切欠かれている部分において防潮板７の左右両端部は、屋外側が屋外側躯体壁面部Ｗに対向し、屋内側がガイド部材３１に対向するようになっている。
【００１２】
さらに、１９は前記防潮板７と躯体床面Ｇとのあいだを水密するための水密装置であって、該水密装置１９は、防潮板７の下端部に取付けられた防潮板側水密材２０と、防潮板７の下方の床面Ｇに敷設された床面側水密材２１と、後述する支持ブラケット２２、作動体２３、操作部２４、押圧バネ２５、ロック機構２６等を備えて構成されている。尚、前記防潮板側水密材２０および床面側水密材２１は、本発明の防潮板の下端部または防潮板の下方の床面の少なくとも何れか一方に設けられる水密材に相当する。
【００１３】
前記支持ブラケット２２は、防潮板７の屋内側面に固着されていると共に、該支持ブラケット２２の上下方向中間部および下部には、屋内側に向けて突出する上側、下側の支持片２２ａ、２２ｂが一体形成されている。これら上側、下側支持片２２ａ、２２ｂには、棒状の作動体２３が、支持片２２ａ、２２ｂを上下に貫通し、且つ、支持片２２ａ、２２ｂに対して上下動および軸回り方向回転自在な状態で支持されている。
【００１４】
前記作動体２３は、下側支持片２２ｂよりも下方に突出する下端部に、周回り方向に１８０度の間隔を存する状態で一対の係止片２３ａが外径方向に向けて突出形成されている。一方、上側支持片２２ａよりも上方に突出する作動体２３の上端部には、作動体２３よりも大径の操作部２４が形成されているが、該操作部２４には、作動体２３を回転させるための操作レバー２４ａが一体形成されている。
【００１５】
前記操作レバー２４ａは、作動体２３の軸芯を中心として、該操作レバー２４ａが防潮板７の屋内側面と平行状となるロック位置と、該ロック位置から９０度回転して屋内側に突出するロック解除位置とに変位揺動自在に構成されていると共に、該操作レバー２４ａの揺動と一体的に回転する作動体２３の下端部の係止片２３ａは、操作レバー２４ａがロック位置のときには後述するように床面Ｇに凹設された嵌入孔２７への出入りが規制されるロック位置となり、操作レバー２４ａがロック解除位置のときには嵌入孔２７への出入りが許容されるロック解除位置となるように設定されている。尚、操作部２４の外周面には、操作レバー２４ａがロック位置、ロック解除位置のときに支持ブラケット２２の屋内側面に当接するロック位置側規制面２４ｂ、ロック解除位置側規制面２４ｃが形成されており、該ロック位置側規制面２４ｂ、ロック解除位置側規制面２４ｃが支持ブラケット２２の屋内側面に当接することによって操作レバー２４ａのロック位置、ロック解除位置を越えての揺動が規制されるようになっている。
【００１６】
一方、前記床面Ｇに凹設される嵌入孔２７は、上面部２７ａを有した箱状に形成されていると共に、該嵌入孔上面部２７ａには、作動体２３と同軸上に位置し、且つ、作動体２３よりも僅かに太径の貫通孔２７ｂと、該貫通孔２７ｂから外径側に延びる一対の貫通溝部２７ｃとが形成されている。該貫通溝部２７ｃは、前記ロック解除位置の係止片２３ａが出入り可能なように、ロック解除位置の係止片２３ａと位置合せされた状態で形成されており、而して、係止片２３ａがロック解除位置に位置している状態では係止片２３ａの嵌入孔２７への出入りが許容される一方、係止片２３ａがロック位置に位置している状態では、一対の貫通溝部２７ｃのあいだの貫通孔外周部２７ｄに係止片２３ａが当接することで、係止片２３ａの嵌入孔２７への出入りが規制されるように構成されている（図５参照）。尚、一対の貫通溝部２７ｃのあいだの貫通孔外周部２７ｄは、本発明の嵌入孔に設けられる係止受部に相当するが、以降、一対の貫通溝部２７ｃのあいだの貫通孔外周部２７ｄを、単に貫通孔外周部２７ｄ或いは係止受部２７ｄと称する。また、該係止受部２７ｄと作動体２３に設けられる係止片２３ａとは、本発明のロック機構２６を構成する。
【００１７】
そして、前記操作レバー２４ａを回転させて前記係止片２３ａをロック解除位置にした状態で、操作部２４の上面を足で踏んだり手で押し下げたりする押し下げ操作をすることによって、作動体２３を、太径の操作部２４の下面が支持ブラケット２２の上側支持片２２ａに当接してこれ以上の下動が規制される下動位置まで下動せしめることができるようになっているが、該下動位置まで作動体２３を下動せしめた状態で、前記係止片２３ａは、貫通溝部２７ｃを通って嵌入孔２７に嵌入するように設定されている。
【００１８】
さらに、前記押圧バネ２５は、上側支持片２２ａと下側支持片２２ｂとの間の作動体２３に固定される上側バネ受け２５ａと、下側支持片２２ｂの上面部に設けられる下側バネ受け２５ｂとの間に介装されている。そして、該押圧バネ２５は、前記操作部２４を押し下げ操作して作動体２３を下動させることに伴い蓄勢され、下側支持片２２ｂを介して防潮板７を下方に押圧するように構成されている。
【００１９】
ここで、前記操作部２４および操作レバー２４ａの操作に基づいて防潮板７を床面Ｇに水密状に押圧する手順について、図３、図４に基づいて説明する。まず、暴雨洪水等の浸水の惧れが無い状態では、操作部２４を押し下げ操作しないと共に操作レバー２４ａをロック位置にしておく。該操作レバー２４ａがロック位置に位置している状態では、操作レバー２４ａは防潮板７の屋内側面と平行状となっていて屋内側に殆ど突出することなく邪魔にならないと共に、作動体２３の下端部に設けられた係止片２３ａもロック位置に位置している。また、操作部２４が押し下げ操作されない状態では、押圧バネ２５は自由状態か僅かに蓄勢された状態になっており、該押圧バネ２５によって、作動体２３は、該作動体２３に固定された上側バネ受け２５ａが支持ブラケット２２の上側支持片２２ａに下側から当接する上動位置に位置していると共に、該上動位置の作動体２３の下端部は嵌入孔上面部２７ａの上方に位置していて、前記ロック位置の係止片２３ａが嵌入孔上面部２７ａに干渉しないように設定されている（図３（Ａ）、（Ｂ）参照）。
【００２０】
一方、暴雨洪水等の浸水の惧れがある場合には、まず、操作レバー２４ａをロック解除位置まで揺動させる。該操作レバー２４ａをロック解除位置にすることに伴い、係止片２３ａも嵌入孔上面部２７ａの貫通溝部２７ｃと位置合せされた状態となるロック解除位置に変位する（図３（Ｃ）、（Ｄ）参照）。
【００２１】
さらに、前記操作レバー２４ａをロック解除位置にしたままの状態で、操作部２４を上側から押し下げ操作して、操作部２４の下面が支持ブラケット２２の上側支持片２２ａに当接するまで作動体２３を下動せしめる。これにより押圧バネ２５が蓄勢されると共に、ロック位置の係止片２３ａは、嵌入孔上面部２７ａの貫通溝部２７ｃを貫通して嵌入孔２７に嵌入する（図４（Ａ）、（Ｂ）参照）。
【００２２】
次いで、操作部２４を押し下げ操作したままの状態で、操作レバー２４ａをロック位置まで揺動せしめる。該操作レバー２４ａをロック位置にすることに伴い、係止片２３ａもロック位置に変位する。しかる後、操作部２４から足を外すと、押圧バネ２５の蓄勢力により作動体２３は上動しようとするが、ロック位置の係止片２３ａが嵌入孔上面部２７ａの貫通孔外周部２７ｄに下側から係止することで作動体２３の上動が規制され、これにより作動体２３は、該作動体２３の下端部の係止片２３ａが嵌入孔２７に嵌入する下動位置にロックされる。そして、該作動体２３が下動位置にロックされたときの押圧バネ２５の蓄勢力は、支持ブラケット２２の下側支持片２２ｂを介して防潮板７を下方に押圧する力として作用し、これにより防潮板７の下端部に設けられた防潮板側水密材２０が床面Ｇに設けられた床面側水密材２１に水密状に押圧されて、防潮板７と床面Ｇとのあいだが水密されるように構成されている（図４（Ｃ）、（Ｄ）参照）。
【００２３】
また、暴雨洪水等の浸水の惧れが解除された場合には、前記下動位置にロックされた作動体２３を上動位置に戻すことになるが、この場合には、ロック位置の操作レバー２４ａをロック解除位置に揺動せしめると、係止片２３ａもロック解除位置に変位して嵌入孔２７からの脱出が許容される。この状態では、押圧バネ２５の蓄勢力が上側バネ受け２５ａを介して作動体２３を上動させる力として作用して、作動体２３は自動的に上動位置まで上動する。しかる後、操作レバー２４ａをロック位置に揺動させることで、水密装置１９を作動させない初期状態に戻ることになる。
【００２４】
ここで、下動位置にロックされた作動体２３を上動位置に戻す場合、前述したように、操作レバー２４ａの操作に基づいて係止片２３ａをロック位置からロック解除位置に変位せしめることになるが、この場合、係止片２３ａは、嵌入孔上面部２７ａの貫通孔外周部２７ｄに下側から当接している状態で変位することになるため、係止片２３ａと貫通孔外周部２７ｄとの接触面積が大きいと操作レバー２４ａを揺動操作するときの抵抗となる。このため、本実施の形態では、係止片２３ａの上部を、上端部ほど外径方向への突出量が小さくなるよう傾斜状に形成して、係止片２３ａと貫通孔外周部２７ｄとの接触面積がなるべく小さくなるようにしており、これにより、ロック位置の係止片２３ａをロック解除位置に変位させるときの操作レバー２４ａの操作力が軽くなるように配慮されている。
【００２５】
一方、３０は前記防潮板７の左右両端部と躯体とのあいだを水密するための第二水密装置であって、該第二水密装置３０は、前述のガイド部材３１、防潮板７に対して離接自在となるようにガイド部材３１に支持される第二作動体３２、該第二作動体３２に設けられる第二水密材３３、本発明の第二操作部を構成するカム３４および第二操作レバー３５等を備えて構成されている。
【００２６】
前記ガイド部材３１は、前述したように、ガイドレール６の切欠かかれた部分に配設されるものであるが、該ガイド部材３１は、防潮板７の左右両端部の屋内側面に対向する第一面部３１ａ、該第一面部３１ａの屋内側に第一面部３１ａと間隙を存して設けられる第二面部３１ｂ、第一、第二面部３１ａ、３１ｂの左右内方側端部同士を連結する第三面部３１ｃ、第一面部３１ａの左右外方側端部から防潮板７に向けて延びて防潮板７の左右側面部の左右外方にまで至る第四面部３１ｄ、該第四面部３１ｄの屋外側端部から左右外方に延びる第五面部３１ｅ、該第五面部３１ｅの左右外方側端部と前記第二面部３１ｂの左右外方側端部とを連結する第六面部３１ｆとを備えて形成される中空箱形状のものであって、該ガイド部材３１は、開口部の左右両側の躯体に、支持部材３８を介して躯体とのあいだに水が浸入することがない状態で固定されている。
【００２７】
また、前記第二作動体３２は、前記ガイド部材３１の第一面部３１ａを移動自在に貫通する上下一対の棒状の作動杆３２ａと、第一面部３１ａから突出する上下の作動杆３２ａの先端部に固定され、防潮板７の上下方向略全長に亘って防潮板７の左右両端部の屋内側面に対向する対向面部３２ｂと、上下の作動杆３２ａの基端部に固定され、ガイド部材３１に内装されるカム受面部３２ｃとを備えて構成されている。そして、前記第二作動体３２の対向面部３２ｂには、防潮板７の左右両端部の屋内側面および左右外側面に対向する第二水密材３３が固着されている。また、３２ｄは前記作動杆３２ａに巻装される状態でガイド部材３１の第一面部３１ａと第二作動体３２のカム受面部３２ｃとの間に介装される復帰弾機であって、該復帰弾機３２ｄによりカム受面部３２ｃは常時後述するカム３４に当接する側に向けて付勢されている。そして、第二作動体３２は、後述するように第二操作レバー３５の操作に基づいて防潮板７に対して離接移動するが、この場合に、前記対向面部３２ｂおよび第二水密材３３は、ガイド部材３１の第四面部３１ｄにガイドされながら移動するようになっている。
【００２８】
一方、３６はガイド部材３１の第一面部３１ａと第二面部３１ｂとの間に懸架される上下の支持杆であって、該上下の支持杆３６には、上下方向を向くカム支軸３７が回転自在に支持されている。そして、該カム支軸３７には、前記第二作動体３２のカム受面部３２ｃに当接する上下一対のカム３４が固定されていると共に、第二操作レバー３５を構成する上下のレバー杆３５ａの基端部が固定されている。
【００２９】
前記上下のレバー杆３５ａの先端側は、第二面部３１ｂから第三面部３１ｃに亘って形成された上下の長孔３１ｇからガイド部材３１外に突出し、該突出部同士が連結されて上下方向を向く第二操作レバー３５が形成されている。該第二操作レバー３５は、前記カム支軸３７を軸として、長孔３１ｇの一端側に当接する非作動位置と、長孔３１ｇの他端側に当接する作動位置とに変位揺動自在に構成されている。そして、該第二操作レバー３５の揺動操作に伴いカム支軸３７が回転することで、該カム支軸３７と一体的にカム３４が回転し、さらに該回転するカム３４がカム受面部３２ｃに作用することで、第二作動体３２を、対向面部３２ｂがガイド部材３１の第一面部３１ａに当接するまで後退して第二水密材３３が防潮板７から離間する非作動位置（図６（Ａ）、（Ｂ）参照）と、対向面部３２ｂが防潮板７の左右両端部の屋内側面に近接するまで進出して第二水密材３３が防潮板７に水密状に押圧されると共に、防潮板７の屋外側面が屋外側躯体壁面部Ｗに当接してこれ以上の防潮板７の屋外方向への移動が規制される作動位置（図７（Ａ）、（Ｂ） 参照）とに変位させることができるようになっている。そして、該作動位置に第二作動体３２を変位せしめることによって、防潮板の左右両端部と躯体とのあいだが水密されるように構成されている。
【００３０】
叙述の如く構成された本形態において、防潮機能付きオーバーヘッド式ドア１は、上下開閉作動するドア体２の下部に防潮板７が設けられていると共に、該防潮板７と躯体床面Ｇとのあいだを水密するための水密装置１９を具備しているが、該水密装置１９は、防潮板７の下端部および床面Ｇに設けられた防潮板側、床面側水密材２０、２１と、支持ブラケット２２を介して防潮板７に上下動自在に支持される作動体２３と、該作動体２３を下動せしめる操作部２４と、作動体２３の下動に伴い蓄勢されて防潮板７を下方に押圧する押圧バネ２５と、作動体２３の下端部が床面Ｇに形成された嵌入孔２７に嵌入する下動位置に作動体２３をロックするロック機構２６とを備えて構成されており、そして、作動体２３を下動位置にロックしたときの押圧バネ２５の押圧力で防潮板７の下端部を床面Ｇに押圧することで、防潮板７と床面Ｇとのあいだが水密されることになる。
【００３１】
而して、作動体２３を下動位置にロックすることにより防潮板７と床面Ｇとのあいだが水密されることになるが、作動体２３が下動位置のとき防潮板７は常に押圧バネ２５の蓄勢力により下方に押圧されているため、例え、防潮板側水密材２０或いは床面側水密材２１が長期間のあいだに劣化して弾性復元力が初期よりも低下した場合であっても、押圧バネ２５の蓄勢力により防潮板７が下方に押圧されることで防潮板側、床面側水密材２０を互いに水密状に密着するまで圧縮させることができ、この結果、長期に亘って防潮板７と床面Ｇとのあいだの水密性を確実に確保できることになる。
【００３２】
さらにこのものでは、作動体２３を回転させるべく揺動操作される操作レバー２４ａが設けられていると共に、作動体２３を下動位置にロックするためのロック機構２６は、嵌入孔２７に設けられる係止受部（貫通孔外周部）２７ｄと、作動体２３の下端部に設けられ、作動体２３が下動位置のときに嵌入孔２７に嵌入する係止片２３ａとを用いて構成されており、そして、嵌入孔２７に嵌入した係止片２３ａは、操作レバー２４ａの揺動操作で作動体２３を回転させることに伴い、係止受部２７ｄに係止するロック位置と係止受部２７ｄに係止しないロック解除位置とに変位することになる。この結果、作動体２３を下動位置にロックするためのロック機構２６を、操作レバー２３の揺動操作で簡単にロック、ロック解除できることになって、緊急時であっても素早く作動体２３を下動位置にロックできることになる。
【００３３】
また、作動体２３を下動させるための操作部２４は、作動体２３の上部に設けられると共に、該操作部２４を押し下げ操作することで作動体２３を下動させる構成であるから、作動体２３の下動操作が押圧バネ２５の蓄勢を伴う操作であっても、押し下げ操作で作動体２３を容易に下動させることができる。
【００３４】
さらに、前記防潮機能付きオーバーヘッド式ドア１は、防潮板７の左右両端部と躯体とのあいだを水密するための第二水密装置３０も具備しているが、該第二水密装置３０は、躯体側に固定されるガイド部材３１と、防潮板７の左右両端部の屋内側面に対向する対向面部３２ｂを有し、該対向面部３２ｂが防潮板７に対して離接自在となるように前記ガイド部材３１に支持される第二作動体３２と、該第二作動体３２の対向面部３２ｂに設けられる第二水密材３３と、該第二水密材３３が防潮板７に水密状に押圧される作動位置まで第二作動体３２を防潮板７に近接させるべく操作される第二操作部（カム３４および第二操作レバー３５）とを備えて構成されている。而して、第二作動体３２を作動位置まで移動させて第二水密材３３を防潮板７に水密状に押圧させることによって、防潮板７の左右両端部と躯体とのあいだを確実に水密できることになる。因みに、暴雨洪水等の場合に外部から浸入しようとする水力は、防潮板７を第二水密材３３側に押圧する力として作用する。このため、例え、第二水密材３３が長期間のあいだに劣化して弾性復元力が幾分低下した場合であっても、前記水力が防潮板７に作用することによって第二水密材３３を防潮板７に水密状に密着するまで圧縮させることができる。
【００３５】
また、前記第二水密装置３０に設けられる第二操作部は、第二作動体３２を防潮板７に対して離接移動させるべく第二作動体３２に作用する回転自在なカム３４と、該カム３４を回転させるべく揺動操作される第二操作レバー３５とを用いて構成されている。而して、第二操作レバー３５の揺動操作で容易に第二作動体３２を作動位置に移動させることができることになって、緊急時であっても素早く第二水密装置３０を作動させることができる。
【００３６】
また、本実施の形態において、防潮板７は最下端のパネル体３に連結パネル１６を介して連結されていると共に、連結パネル１６は、防潮板７の上部にボルト１７を介して連結されている。而して、例えば、水密装置１９および第二水密装置３０を作動させて防潮板７により屋内側への浸水を防止したままの状態で躯体開口部から屋外に脱出したいような場合に、前記ボルト１７を緩めて防潮板７を連結パネル１６から取外した後、開閉機８を駆動させてパネル体３および連結パネル１６を上動させることにより防潮板７の上方の開口部が開き、ここから屋外に脱出することができる。
【００３７】
尚、本発明は上記実施の形態に限定されないことは勿論であって、例えば、作動体に設けられる係止片を、作動体の外周面部から外径方向に出没自在に設けると共に、該係止片を突出する側に付勢するバネを設け、さらに、係止片或いは嵌入孔に、係止片を嵌入孔に嵌入させることに伴い外径方向に突出している係止片をバネに抗して没入するようにガイドするガイド部（例えば、上記実施の形態の係止片の下端部に形成の傾斜面）を設ける構成にすることもできる。このように構成した場合には、係止片がロック位置に位置していても、係止片を嵌入孔に嵌入させることができると共に、嵌入孔に嵌入した係止片は、バネの付勢力により自動的に作動体の外径方向に突出して、嵌入孔の係止受部に係止することになる。而して、このものでは、作動体を下動させることに伴い自動的にロック機構が作動して作動体を下動位置にロックすることになり、より操作性に優れるという利点がある。
また、上記実施の形態では、防潮板と躯体床面とのあいだを水密するための水密材が、防潮板の下端部と床面との両方に設けられていてより確実な水密が図られているが、防潮板の下端部或いは床面の何れか一方だけに水密材を設けたものであっても良い。
さらに、上記実施の形態ではオーバーヘッド式ドアに本発明が実施されているが、パネルシャッター等、躯体開口部に建付けられる各種の建築用開閉装置に本発明を実施できることは勿論である。
【産業上の利用可能性】
【００３８】
本発明は、防潮板と躯体とのあいだを水密するための水密装置に利用することができる。
【符号の説明】
【００３９】
２  ドア体
７  防潮板
１９  水密装置
２０  防潮板側水密材
２１  床面側水密材
２３  作動体
２３ａ  係止片
２４  操作部
２４ａ  操作レバー
２５  押圧バネ
２６  ロック機構
２７  嵌入孔
２７ｄ  貫通孔外周部（係止受部）
３０  第二水密装置
３１  ガイド部材
３２  第二作動体
３２ｂ  対向面部
３３  第二水密材
３４  カム
３５  第二操作レバー
Ｇ  床面
【図１】
2015105489.tif 000003
【図２】
2015105489.tif 000004
【図３】
2015105489.tif 000005
【図４】
2015105489.tif 000006
【図５】
2015105489.tif 000007
【図６】
2015105489.tif 000008
【図７】
2015105489.tif 000009